(57)【特許請求の範囲】
【請求項１】
製品とリサイクル情報表示装置とを有するリサイクル情報提供システムであって、
前記製品は、
当該製品の構成装置または当該構成装置を構成する部品の、解体されたときに資源再利用を行うための、リサイクル対象品名およびリサイクル方法を含むリサイクル情報を記憶するための記憶部と、前記リサイクル情報表示装置により該記憶部から情報を読み出すための読み出し端子とを備えており、
前記読み出し端子は、前記リサイクル情報を読み出す際に使用される専用の端子であり、前記製品の外部に露出しており、
前記リサイクル情報表示装置は、
前記製品の読み出し端子に接続する接続手段と、
前記接続手段を介して、前記製品の記憶部に電源を供給する手段と、
電源が供給された前記記憶部から前記リサイクル情報を読み出す手段と、
読み出したリサイクル情報を用いて、リサイクル対象品名及びリサイクル情報を表示する手段と、を備える
ことを特徴とするリサイクル情報提供システム。
【請求項２】
解体時に資源再利用のためのリサイクル対象となる装置または部品を備える製品であって、
前記製品は、
当該製品の構成装置または構成装置を構成する部品の、解体されたときに資源再利用を行うための、リサイクル対象品名およびリサイクル方法を含むリサイクル情報を記憶し、かつ外部の読出装置から電源の供給を受けて動作する記憶部と、
前記外部の読出装置により該記憶部から情報を読み出すための読み出し端子とを備え、
前記読み出し端子は、前記リサイクル情報を読み出す際に使用される専用の端子であり、前記製品の外部に露出している
ことを特徴とする製品。
【発明の詳細な説明】
【０００１】
【産業上の利用分野】
本発明は、廃棄の際、必要となるリサイクル（資源再利用）情報を有する製品、および、リサイクル情報を提供する方法に関する。
【０００２】
【従来の技術】
従来より、コンピュータシステムのサービス機能として、ネットワーク上に配置されたワークステーション上で、ホストコンピュータの操作方法をワークステーションに内蔵したＣＤ−ＲＯＭ電子マニュアルから操作者に提供するコンピュータシステムが知られている（特開平２−７５０５１号公報）。このコンピュータシステムによれば、必要なときに、ＣＤ−ＲＯＭ電子マニュアルを検索することで、直ちに必要な説明情報を入手することができる。また、特開昭６２−２１２８３１号、特開平２−１８１８６５号、特開平３−１９０２０号の各公報にも、電子マニュアルに関する技術が開示されている。
【０００３】
【発明が解決しようとする課題】
しかるに、従来のコンピュータシステムは、コンピュータシステム利用者への操作方法、利用方法に限った電子マニュアルであり、いずれもコンピュータシステムの構成装置の耐用年数が経過したり、リプレースによりコンピュータシステムを解体する際、コンピュータシステムの構成装置の資源再利用の観点で重要となるリサイクル情報についての利用者への提供は考慮されていなかった。
【０００４】
また、紙面にリサイクル情報を記述してマニュアルを作成することが考えられる。しかし、利用者が該当マニュアルを保管、検索する必要が生じ、コンピュータシステムの利用開始から廃棄までの長期間に亘ってマニュアル管理を実施しなければならず、万が一、該当マニュアルを紛失した場合、利用者によるリサイクルは実施できないという問題がある。
【０００５】
本発明は、上記の点に鑑みなされたもので、装置にリサイクル情報を持たせることにより、上記の課題を解決した製品、および、リサイクル情報提供方法を提供することを目的とする。
【０００６】
【発明が解決しようとする課題】
本願発明は、例えば、製品とリサイクル情報表示装置とを有するリサイクル情報提供システムであって、前記製品は、当該製品の構成装置または構成装置を構成する部品の、解体されたときに資源再利用を行うための、リサイクル対象品名およびリサイクル方法を含むリサイクル情報を記憶するための記憶部と、前記リサイクル情報表示装置により該記憶部から情報を読み出すための読み出し端子とを備えており、前記読み出し端子は、前記リサイクル情報を読み出す際に使用される専用の端子であり、前記製品の外部に露出しており、前記リサイクル情報表示装置は、前記製品の読み出し端子に接続する接続手段と、前記接続手段を介して、前記製品の記憶部に電源を供給する手段と、電源が供給された前記記憶部から前記リサイクル情報を読み出す手段と、読み出したリサイクル情報を用いて、リサイクル対象品名及びリサイクル情報を表示する手段と、を備える。
【０００７】
また、本発明の他の態様によれば、製品の廃棄時における資源再利用のためのリサイクル情報を提供する方法であって、情報を記憶するための記憶部と、外部の読出装置により該記憶部から情報を読み出すための読み出し端子とを予め製品に設け、前記記憶部に、当該製品を構成する構成装置について、それがリサイクル対象品であるか、および、どのようにリサイクルするかについての情報を含むリサイクル情報を格納しておくことを特徴とするリサイクル情報提供方法が提供される。
【０００９】
【作用】
製品、例えば、コンピュータシステムを構成する前記各装置のいずれかの耐用年数が経過したり、またはリプレースにより、コンピュータシステムを構成する各装置がまだ動作するにもかかわらず、それら装置の一部または全部を廃棄する場合、廃棄しようとするコンピュータシステムの各構成装置には、電子化マニュアル情報を格納した記憶部と、記憶部の記憶情報を読み出すための読み出し端子とがそれぞれ設けられているため、電子化マニュアル情報として、リサイクルのための連絡先や装置を構成している各部品の部品名称、各部品の取付位置、リサイクル方法などからなるリサイクル情報を利用者が容易に入手できる。
【００１０】
また、読取り装置を上記の読み出し端子に接続することにより、リサイクル情報を示す電子化マニュアル情報を読取ることができるため、目的のコンピュータシステム構成装置のみのリサイクル情報を、他の装置に関係なく得ることができる。
【００１１】
【実施例】
以下、本発明の実施例について、図面を参照して説明する。
【００１２】
図１は本発明に係る電子化マニュアル内蔵コンピュータシステムの一実施例を示す。中央処理装置（ＣＰＵ）１は、コンピュータシステム全体の動作を統括する。主記憶装置２は、ＣＰＵ１が取り扱うほとんどすべての命令とデータを記憶する。補助記憶装置３は、主記憶装置２の記憶容量を補助するための記憶装置で、ＣＰＵ１が取り扱う命令やデータを記憶する。表示装置４は、ＣＰＵ１で演算処理されたデータを表示する。入力装置５および出力装置６は入出力装置を構成しており、ＣＰＵ１に対してデータを入力し、またＣＰＵ１からのデータをプリントアウト等する。
【００１３】
コンピュータシステムの上記の動作自体は周知であるが、本実施例ではこのコンピュータシステムを構成する、ＣＰＵ１、主記憶装置２、補助記憶装置３、表示装置４、入力装置５および出力装置６のそれぞれに、リサイクル情報が格納された記憶部と、この記憶部の読み出し端子１ａ，２ａ，３ａ，４ａ，５ａおよび６ａを有している点に特徴がある。
【００１４】
上記のリサイクル情報は、装置の資源再利用のための情報で、例えば、その装置の製造年月日、製造番号、製造者名称、リサイクル部品名称、リサイクル方法、リサイクルメーカおよびその連絡先等である。コンピュータシステムの利用者自体は、最低限リサイクルメーカの連絡先がわかればよいが、リサイクルメーカにとっては、リサイクル方法などが必要であるため、リサイクル情報に含まれている。また、上記読み出し端子１ａ，２ａ，３ａ，４ａ，５ａおよび６ａは、その読み出し端子が設けられている装置が廃棄されるときに使用され、通常のコンピュータシステム稼動時に使用されることはない。
【００１５】
上記のコンピュータシステムにおいて、その構成装置のいずれかの耐用年数が経過したか、コンピュータシステム全体をリプレースする場合、コンピュータシステムを構成する各装置１〜６の一部または全部を、まだ動作するにもかかわらず廃棄することとなるが、その際、資源再利用の観点から装置を破壊または棄却するのではなく、装置を解体して使用可能な部品を再利用することが望ましい。そこで、本実施例では、廃棄する装置から前記リサイクル情報を読み出して、リサイクル可能とするものである。
【００１６】
図２は本発明の読取り装置の一実施例の動作説明図を示す。ここでは、前記表示装置４が廃棄対象の装置の例を示している。１０は読取り装置で、表示部１０ａ、操作部１０ｂおよび接続端子１０ｃを有しており、その接続端子１０ｃが表示装置４の読み出し端子４ａにケーブル１１を介して接続されている。
【００１７】
コンピュータシステムに使用する表示装置４には、表示データ処理のためマイクロコンピュータが内蔵されており、よって、図３に示すようにマイクロコンピュータ用にメモリ１２も内蔵されている。このメモリ１２の一部の記憶領域が、リサイクル情報記憶部として設定されており、その記憶部の読み出し用端子が、プリント回路基板１３を介して前記読み出し端子４ａに接続されている。
【００１８】
図４は上記メモリ１２に記憶されているリサイクル情報テーブルを示す。同図中、”Ｔ”は装置型式、”Ｎ”はリサイクル部品名称、”Ｉ”は装置内取付位置、”Ｍ”はリサイクル部品の材質、そして”Ｐ”はリサイクル方法のデータ識別子を示す。また、図４では図示を省略したが、リサイクルメーカの名称および連絡先住所や電話番号も、上記リサイクル情報テーブル内に含まれている。
【００１９】
図２に示した読取り装置１０は、動作可能ではあるが廃棄対象となった表示装置４の読み出し端子４ａに、ケーブル１１を介して接続部１０ｃが接続されると、ケーブル１１を介して動作電源を表示装置４に供給する。これにより、メモリ１２が動作状態となり、図４に示したリサイクル情報データがメモリ１２から読み出されて読取り装置１０に入力される。すると、読取り装置１０は、このリサイクル情報データを処理して、その表示部１０ａに表示する。
【００２０】
これにより、図４の例では、読取り装置１０は、その表示部１０ａに表示装置４がＨＭ４４１９の型式で、その本体ベースに取り付けられている構成部品のベゼルがリサイクル対象部品のひとつであり、そのベゼルがプラスチック製で、粉砕，溶解の方法でリサイクル可能であることなどを表示する。
【００２１】
リサイクルメーカ（解体廃棄請負業者）がこの読取り装置１０を使用することにより、この表示部１０ａの表示（リサイクル情報）から、リサイクル方法を簡単に知ることができる。また、コンピュータシステム利用者、回収業者等が、この読取り装置１０を使用することにより、読取り装置１０の表示の中から、リサイクルメーカ（解体廃棄請負業者）の連絡先を知ることが簡単にできる。
【００２２】
次に、読取り装置１０の動作について、さらに、図５および図６と共に説明する。図５は読取り装置の動作説明用フローチャート、図６はリサイクル情報の表示例を示す。
【００２３】
読取り装置１０は、まず、リサイクル対象装置の読み出し端子からのリサイクル情報データから、リサイクル情報メニューを表示する（図５のステップ１０１）。図６（Ａ）は、このメニュー表示の一例を示し、リサイクル部品の一覧と、リサイクルメーカの一覧とが表示される。
【００２４】
続いて、読取り装置１０は、操作部１０ｂにより、メニュー表示の中の選択肢を選択されると（図５のステップ１０２）、その選択肢が終了でないときは、選択肢に応じたリサイクル情報を検索して（図５のステップ１０３）、表示する（図５のステップ１０４）。そして、リサイクル情報のメニュー表示か選択肢入力待ちの状態に戻る。
【００２５】
図６（Ｂ）は図５のステップ１０２でリサイクル部品一覧が選択されたときの表示画像を示す。図６（Ｃ）はこのリサイクル部品一覧の中から、図５のステップ１０２で部品Ｎｏ．１が選択されたときの表示画像の一例を示す。ここでは、リサイクル部品がキーボードである場合の例である。この例では、文字等で示しているが、図示するようにしてもよい。
【００２６】
このように、本実施例によれば、リサイクルのための連絡先や装置を構成している各部品の部品名称、各部品の取付位置、リサイクル方法などからなるリサイクル情報を利用者（コンピュータシステムの利用者およびリサイクルメーカ）が容易に入手できるため、利用者が紙面によるリサイクル情報に関するマニュアルを保管、検索する必要がなく、コンピュータシステムの利用開始から廃棄までの長期間に亘ってマニュアル管理を不要とすることができるとともに、紙を用いないことによる経済的効果がある。
【００２７】
また、読取り装置１０により、目的のコンピュータシステム構成装置のみのリサイクル情報を、他の装置に関係なく得ることができるため、必要な装置のリサイクル情報のみを短時間で得ることができる。
【００２８】
ところで、以上はコンピュータシステムの各構成装置のそれぞれにその構成装置のリサイクル情報が記憶されているとしている。しかし、本発明は、これに限定されない。例えば、補助記憶装置３の記憶部には、コンピュータシステムの全構成装置のリサイクル情報を記憶するようにしておいてもよい。この場合は、補助記憶装置３の記憶部が動作可能であれば、故障で動作不能の他の構成装置のリサイクル情報を代わりに得ることができる。
【００２９】
なお、前記コンピュータシステムを構成する各装置の電源投入後、中央処理装置１ではシステム初期化プログラムが動作する。この中に含まれるハードウェア初期化処理では前記各装置に対してハードウェアの初期化を指示するが、終了まで数十秒から数分の時間を要する。そこで、コンピュータシステムの構成装置の一部または全部に廃棄が発生したときは、この電源投入直後の初期化処理実行の間に入力装置５より、予め設定しておいたリサイクルキーワード（リサイクル情報読出キーワード）を入力することで、中央処理装置１が初期化プログラムの中でこの入力を判断したときに、通常処理でなく、リサイクル情報の表示処理をするようにしてもよい。
【００３０】
また、前記実施例では、コンピュータシステムのリサイクルについて示したが、本発明は、コンピュータシステムに限定されない。他の電気製品、産業機器等にも適用ができる。近年、電気製品、産業機器等の多くには、その動作制御のため、マイクロコンピュータが搭載されている。従って、ＣＰＵの他、プログラムを各のする不揮発性のメモリをも有することが一般的である。そこで、このメモリの一部に、または、メモリを増設して、前述したりサイクル情報を格納して保存する構成することができる。そして、メモリの内容を読みだすための端子を追加すれば、コンピュータに限らず、各種機器についても、前記したコンピュータシステムと同様に、リサイクル情報の電子化が可能となる。すなわち、本発明は、製品一般に、適用できるものである。
【００３１】
さらに、上記実施例では、メモリ中にリサイクル情報を格納しているが、本発明は、これに限られない。例えば、リサイクル情報の全部または一部を記録した磁気テープを、製品の一部に貼付する構成とすることができる。また、リサイクル情報の全部または一部をバーコードで表現して、製品の一部に表示する構成としてもよい。
【００３２】
【発明の効果】
以上の通り、本発明によれば、電子化マニュアル情報として、リサイクルのための連絡先や装置を構成している各部品の部品名称、各部品の取付位置、リサイクル方法などからなるリサイクル情報を利用者が容易に入手できるため、利用者が紙面によるリサイクル情報に関するマニュアルを保管、検索する必要がなく、コンピュータシステムの利用開始から廃棄までの長期間に亘ってマニュアル管理を不要とすることができるとともに、紙の削除による経済的効果がある。
【００３３】
また、本発明読取り装置を上記の読み出し端子に接続することにより、接続されたコンピュータシステム構成装置のみのリサイクル情報を、他の装置に関係なく得ることができるため、コンピュータシステムの構成装置のうちの一部の装置のみを廃棄する場合に、短時間で必要な装置のリサイクル情報だけを得ることができ、また、利用者をリサイクル情報マニュアルの管理から解放することができ、かつ、利用者に対して確実にリサイクル情報を提供できる効果もある。
【図面の簡単な説明】
【図１】本発明の一実施例のシステム構成図である。
【図２】本発明の読取り装置の一実施例の動作説明図である。
【図３】記憶部の構成を示す斜視図である。
【図４】リサイクル情報テーブルの一例を示す図である。
【図５】読取り装置の動作説明用フローチャートである。
【図６】リサイクル情報の表示例を示す図である。
【符号の説明】
１…中央処理装置（ＣＰＵ）
１ａ，２ａ，３ａ，４ａ，５ａ，６ａ…読み出し端子
２…主記憶装置
３…補助記憶装置
４…表示装置
５…入力装置
６…出力装置
１０…読取り装置
１０ａ…表示部
１０ｂ…操作部
１０ｃ…接続部
１２…メモリ
【図１】
0004053233.tif 000002
【図２】
0004053233.tif 000003
【図３】
0004053233.tif 000004
【図４】
0004053233.tif 000005
【図５】
0004053233.tif 000006
【図６】
0004053233.tif 000007